(57)【要約】【課題】回収品に関する情報の入手が容易となり、回収品に基づいた再生作品のデザインや製作を迅速かつ簡潔に行うことが可能な回収品再生システム、回収品再生方法及びプログラムを提供すること。【解決手段】回収品に関する回収品情報を受信する回収品情報受信部１３２と、回収品を再生作品として製作するためのデザインがされるように回収品情報を送信する回収品情報送信部１３２と、デザインに関するデザイン情報を受信するデザイン情報受信部１３４と、１又は複数のデザイン情報のうちから実際に再生作品を製作する１の実行デザインが選択されるようにデザイン情報を送信するデザイン情報送信部１３４と、実行デザインに関する実行デザイン情報を受信する実行デザイン情報受信部１４１と、実際に再生作品が製作されるように実行デザイン情報を送信する実行デザイン情報送信部１４１を備えることを特徴とする。【選択図】図１
2009223814.tif 000002
【特許請求の範囲】
【請求項１】
回収品に関する回収品情報を受信する回収品情報受信部と、
前記回収品を再生作品として製作するためのデザインがされるように前記回収品情報を送信する回収品情報送信部と、
前記デザインに関するデザイン情報を受信するデザイン情報受信部と、
１又は複数の前記デザイン情報のうちから実際に前記再生作品を製作する１の実行デザインが選択されるように前記デザイン情報を送信するデザイン情報送信部と、
前記実行デザインに関する実行デザイン情報を受信する実行デザイン情報受信部と、
実際に前記再生作品が製作されるように前記実行デザイン情報を送信する実行デザイン情報送信部と、
を備えることを特徴とする、回収品再生システム。
【請求項２】
前記実行デザイン情報に基づいて実際に前記回収品から製作された前記再生作品に関する再生作品情報を受信する再生作品情報受信部を更に備えることを特徴とする、請求項１に記載の回収品再生システム。
【請求項３】
前記再生作品を第三者に譲渡可能なオークションシステムに出品するため、前記オークションシステムに前記再生作品情報を送信する再生作品情報送信部を更に備えることを特徴とする、請求項２に記載の回収品再生システム。
【請求項４】
前記回収品情報に基づいて前記回収品を再生作品として製作するという製作要求を受信する製作要求受信部と、
前記製作要求に応じて前記回収品情報が新たに更新されるように更新要求を送信する更新要求送信部と、
を更に備え、
前記回収品情報受信部は、前記更新要求に応じて前記回収品情報が新たに更新された更新回収品情報を受信し、
前記デザイン情報受信部は、前記更新回収品情報に基づいてデザインがされた前記デザイン情報を受信することを特徴とする、請求項１〜３のいずれかに記載の回収品再生システム。
【請求項５】
回収品に関する回収品情報を受信するステップと、
前記回収品を再生作品として製作するためのデザインがされるように前記回収品情報を送信するステップと、
前記デザインに関するデザイン情報を受信するステップと、
１又は複数の前記デザイン情報のうちから実際に前記再生作品を製作する１の実行デザインが選択されるように前記デザイン情報を送信するステップと、
前記実行デザインに関する実行デザイン情報を受信するステップと、
実際に前記再生作品が製作されるように前記実行デザイン情報を送信するステップと、
を備えることを特徴とする、回収品再生方法。
【請求項６】
前記実行デザイン情報に基づいて実際に前記回収品から製作された前記再生作品に関する再生作品情報を受信するステップを更に備えることを特徴とする、請求項５に記載の回収品再生方法。
【請求項７】
前記再生作品を第三者に譲渡可能なオークションシステムに出品するため、前記オークションシステムに前記再生作品情報を送信するステップを更に備えることを特徴とする、請求項６に記載の回収品再生方法。
【請求項８】
前記回収品情報に基づいて前記回収品を再生作品として製作するという製作要求を受信するステップと、
前記製作要求に応じて前記回収品情報が新たに更新されるように更新要求を送信するステップと、
前記更新要求に応じて前記回収品情報が新たに更新された更新回収品情報を受信するステップと、
前記更新回収品情報に基づいてデザインがされた前記デザイン情報を受信するステップと、
を備えることを特徴とする、請求項５〜７のいずれかに記載の回収品再生方法。
【請求項９】
回収品に関する回収品情報を受信する手段、
前記回収品を再生作品として製作するためのデザインがされるように前記回収品情報を送信する手段、
前記デザインに関するデザイン情報を受信する手段、
１又は複数の前記デザイン情報のうちから実際に前記再生作品を製作する１の実行デザインが選択されるように前記デザイン情報を送信する手段、
前記実行デザインに関する実行デザイン情報を受信する手段、
実際に前記再生作品が製作されるように前記実行デザイン情報を送信する手段、
としてコンピュータを機能させるためのプログラム。
【請求項１０】
前記実行デザイン情報に基づいて実際に前記回収品から製作された前記再生作品に関する再生作品情報を受信する手段として更にコンピュータを機能させるための請求項９に記載のプログラム。
【請求項１１】
前記再生作品を第三者に譲渡可能なオークションシステムに出品するため、前記オークションシステムに前記再生作品情報を送信する手段として更にコンピュータを機能させるための請求項１０に記載のプログラム。
【請求項１２】
前記回収品情報に基づいて前記回収品を再生作品として製作するという製作要求を受信する手段、
前記製作要求に応じて前記回収品情報が新たに更新されるように更新要求を送信する手段、
前記更新要求に応じて前記回収品情報が新たに更新された更新回収品情報を受信する手段、
前記更新回収品情報に基づいてデザインがされた前記デザイン情報を受信する手段、
としてコンピュータを機能させるための請求項９〜１１のいずれかに記載のプログラム。
【発明の詳細な説明】
【技術分野】
【０００１】
本発明は、回収品再生システム、回収品再生方法及びプログラムに関する。
【背景技術】
【０００２】
従来、手元にある衣類、家具、家庭用電気製品等で不用になった不用品を第三者に譲渡するため、オークションシステムが活用される場合がある。オークションシステムでは、出品者にとっては不用であるが入札希望者には価値があると判断される可能性のある物や、一般的な店舗では見つけにくい中古品等が出品される。
【０００３】
また、近年では、不用品を廃棄するためには費用がかかることが多く、更に不用品が環境に及ぼす影響が懸念されている。そこで、不用品の取り扱いについては回収業者に依頼し、回収業者が回収品をリサイクルしたり廃棄したりしている。そして、回収業者は、回収品のリサイクルの１つの手段として、上記のオークションシステムを利用する場合がある。特許文献１〜１０には、不用品に関するオークションシステムが開示されている。
【０００４】
【特許文献１】特開２００１−７６０６７号公報
【特許文献２】特開２００２−７７８８号公報
【特許文献３】特開２００２−２４６２１号公報
【特許文献４】特開２００２−１３３０４１号公報
【特許文献５】特開２００２−３４２６１２号公報
【特許文献６】特開２００３−１２２８３０号公報
【特許文献７】特開２００３−１８７１１０号公報
【特許文献８】特開２００６−１９５７６０号公報
【特許文献９】特開２００７−２６２５７号公報
【特許文献１０】特開２００７−２０６９９２号公報
【発明の開示】
【発明が解決しようとする課題】
【０００５】
一方、発明者らは、回収業者が、オークションシステムを利用する場合に、全ての回収品をオークションの出品対象とするのではなく、所定期間は仮出品期間とし、仮出品期間内にユーザが関心を持った回収品のみを正規出品商品とするシステムを発明した。これにより、回収業者が回収した回収品を長期にわたって保管する必要がなくなり、保管スペースを縮小したり、回収業者がどの回収品をオークションの出品対象とするかという判断が不要となったりする。さらに、ユーザが関心を持ったものが正規出品商品となるため、オークション成立の可能性が高まることとなる。
【０００６】
しかし、仮出品期間内にユーザが関心を示さなかった回収品であっても、廃棄しないでリサイクル可能なものもあり、不用品の有効活用を更に向上させるシステムが必要とされていた。また、回収品が家具等の場合、回収品を一素材として再生作品をデザイン、製作したいという要望があったが、デザイナーや家具職人（作品製作者）が自分の希望に見合った回収品を探し当てるまでに、時間と手間がかかるという問題があった。
【０００７】
そこで、本発明は、上記問題に鑑みてなされたものであり、本発明の目的とするところは、回収品に関する情報の入手が容易となり、回収品に基づいた再生作品のデザインや製作を迅速かつ簡潔に行うことが可能な、新規かつ改良された回収品再生システム、回収品再生方法及びプログラムを提供することにある。
【課題を解決するための手段】
【０００８】
上記課題を解決するために、本発明のある観点によれば、回収品に関する回収品情報を受信する回収品情報受信部と、回収品を再生作品として製作するためのデザインがされるように回収品情報を送信する回収品情報送信部と、デザインに関するデザイン情報を受信するデザイン情報受信部と、１又は複数のデザイン情報のうちから実際に再生作品を製作する１の実行デザインが選択されるようにデザイン情報を送信するデザイン情報送信部と、実行デザインに関する実行デザイン情報を受信する実行デザイン情報受信部と、実際に再生作品が製作されるように実行デザイン情報を送信する実行デザイン情報送信部を備えることを特徴とする回収品再生システムが提供される。
【０００９】
かかる構成により、回収品情報受信部は、回収品に関する回収品情報を受信し、回収品情報送信部は、回収品を再生作品として製作するためのデザインがされるように回収品情報を送信し、デザイン情報受信部は、デザインに関するデザイン情報を受信し、デザイン情報送信部は、１又は複数のデザイン情報のうちから実際に再生作品を製作する１の実行デザインが選択されるようにデザイン情報を送信し、実行デザイン情報受信部は、実行デザインに関する実行デザイン情報を受信し、実行デザイン情報送信部は、実際に再生作品が製作されるように実行デザイン情報を送信する。
【００１０】
上記実行デザイン情報に基づいて実際に回収品から製作された再生作品に関する再生作品情報を受信する再生作品情報受信部を更に備えてもよい。また、上記再生作品を第三者に譲渡可能なオークションシステムに出品するため、オークションシステムに再生作品情報を送信する再生作品情報送信部を更に備えてもよい。
【００１１】
上記回収品情報に基づいて回収品を再生作品として製作するという製作要求を受信する製作要求受信部と、製作要求に応じて回収品情報が新たに更新されるように更新要求を送信する製作要求送信部とを更に備え、回収品情報受信部は、更新要求に応じて回収品情報が新たに更新された更新回収品情報を受信し、デザイン情報受信部は、更新回収品情報に基づいてデザインがされたデザイン情報を受信してもよい。
【００１２】
また、上記課題を解決するために、本発明の別の観点によれば、回収品に関する回収品情報を受信するステップと、回収品を再生作品として製作するためのデザインがされるように回収品情報を送信するステップと、デザインに関するデザイン情報を受信するステップと、１又は複数のデザイン情報のうちから実際に再生作品を製作する１の実行デザインが選択されるようにデザイン情報を送信するステップと、実行デザインに関する実行デザイン情報を受信するステップと、実際に再生作品が製作されるように実行デザイン情報を送信するステップを備えることを特徴とする回収品再生方法が提供される。
【００１３】
また、上記課題を解決するために、本発明の別の観点によれば、回収品に関する回収品情報を受信する手段、回収品を再生作品として製作するためのデザインがされるように回収品情報を送信する手段、デザインに関するデザイン情報を受信する手段、１又は複数のデザイン情報のうちから実際に再生作品を製作する１の実行デザインが選択されるようにデザイン情報を送信する手段、実行デザインに関する実行デザイン情報を受信する手段、実際に再生作品が製作されるように実行デザイン情報を送信する手段としてコンピュータを機能させるためのプログラムが提供される。
【発明の効果】
【００１４】
本発明によれば、回収品に関する情報の入手が容易となり、回収品に基づいた再生作品のデザインや製作を迅速かつ簡潔に行うことができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
（第１の実施形態の構成）
まず、本発明の第１の実施形態に係る回収品再生システム１００の構成について説明する。図１は、本実施形態に係る回収品再生システム１００を示すブロック図である。
【００１７】
回収品再生システム１００は、例えば回収品業者が回収した回収品に関する回収品情報を受け付け、その後回収品情報に基づいてデザイナーがデザイン案を作成し、監修者によって複数のデザイン案の中から選択された１の実行デザインをもとに再生作品が製作され、製作された再生作品に関する再生作品情報を受け付けて、再生作品を外部のオークションシステムに出品するシステムである。
【００１８】
ここで、回収品とは、例えば、インテリア用品、収納用品、家具、家庭用電気製品などである。また、デザイン案とは、再生作品を製作するために提出されたデザインであり、監修者によって、複数のデザイン案から１の実行デザインが選択されて、その実行デザインに基づいて実際に再生作品が製作される。そして、再生作品とは、回収品を利用し再生された作品であり、新たに装飾が施されたり、必要に応じて各部材に分解して新たに組み合わせることで製作されたりしたものである。また、監修者とは、上記デザイン案を作成するデザイナーが学生である場合は指導的立場を有する教官、若しくは著名なデザイナー等の専門家であってもよいし、不特定多数の一般人（例えば、回収品再生システム１００に参加登録した者）等であってもよい。
回収品再生システム１００は、図１に示すように、例えば、ネットワーク１０に相互に接続された管理サーバ１０２、複数のデザイナー端末１０４、複数の回収業者端末１０５、複数の監修者端末１０６、複数の入札者端末１０７などからなる。管理サーバ１０２は、デザイナー端末１０４、回収業者端末１０５、監修者端末１０６又は入札者端末１０７から送信される各種情報を受信して、所定の処理の後、処理結果をそれぞれの端末に送信する。デザイナー端末１０４、回収業者端末１０５、監修者端末１０６及び入札者端末１０７は、例えばＣＰＵ、メモリ、入出力Ｉ／Ｆなどを有するコンピュータ装置である。
【００１９】
ネットワーク１０は、例えば、インターネットプロトコル（ＩＰ）技術を利用してコンピュータ・ネットワークが相互に接続された広範囲又はローカルに構成されたＩＰネットワークなどである。管理サーバ１０２やデザイナー端末１０４、回収業者端末１０５、監修者端末１０６及び入札者端末１０７は、ルータを介してネットワーク１０と接続される。また、ルータは、異なるコンピュータ・ネットワーク間を接続、又は中継（経路制御）する。
【００２０】
次に、図２を参照して、管理サーバ１０２について詳細に説明する。図２は、本実施形態に係る管理サーバ１０２を示すブロック図である。
【００２１】
管理サーバ１０２は、図２に示すように、ＣＰＵ１１２、メモリ１１４、入出力Ｉ／Ｆ１１６、表示部１１８、記憶部１２０、ユーザ認証・管理部１３０、回収品情報送受信部１３２、製作要求受付部１３３、デザイン情報送受信部１３４、再生作品情報送受信部１３６、課金・支払処理部１３８、回収品情報処理部１４０、実行デザイン送受信部１４１、デザイン監修処理部１４２、オークション出品処理部１４４、ネットワーク接続部１５０などを有して構成される。
【００２２】
ＣＰＵ（Central  Processing  Unit）１１２は、プログラムによって演算処理装置及び制御装置として機能し、管理サーバ１０２内に設けられた各構成要素の処理を制御することができる。メモリ１１４は、例えば、ＲＡＭ（Random  Access  Memory）、ＲＯＭ（Read  Only  Memory）、キャッシュメモリなどの記憶部で構成されている。メモリ１１４は、ＣＰＵ１１２の処理に関するデータ、ＣＰＵ１１２の動作プログラムなどを一時的に記憶する機能を有する。
【００２３】
入出力ＩＦ（インターフェース）１１６は、例えば、マウス、キーボード、タッチパネル、ボタン、スイッチ、レバーなどの操作部と、入力信号を生成しＣＰＵ１１２に出力する入力制御部等から構成される。例えば、管理サーバ１０２の管理者は、入出力ＩＦ１１６の操作部を操作することによって、管理サーバ１０２にデータを入力したり処理動作を指示したりすることができる。
【００２４】
表示部１１８は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、管理サーバ１０２の管理者は、入出力ＩＦ１１６で行った操作の結果などを、表示部１１８を介して確認することができる。
【００２５】
記憶部１２０は、例えば、ＨＤＤ（ハードディスクドライブ）、フラッシュメモリなどで構成されており、データを長期に亘って格納するための記録装置である。記憶部１２０は、ユーザ情報データベース、回収品情報データベース、デザイン情報データベース、再生作品情報データベース、料金・支払情報データベース、プログラムなどのデータを記録することができる。
【００２６】
ユーザ情報データベースには、例えば、回収業者、デザイナー、監修者など（以下、総称してユーザともいう。）が回収品再生サービスを利用可能な者であるかを判別するための、利用者ＩＤやパスワードなどの認証情報がユーザごとに格納されている。
【００２７】
回収品情報データベースは、回収業者端末１０５から入力された回収品に関する回収品情報が格納される。回収品情報は、例えば、複数の回収品を一意に特定する識別番号、回収品の画像情報や、回収品の商品名、サイズなどの詳細情報などである。
【００２８】
デザイン情報データベースは、デザイナー端末１０４から入力されたデザイン案に関するデザイン情報が格納される。デザイン情報は、例えば、複数のデザイン案を一意に特定する識別番号、紙ベースで作成されたデザイン案を読込んでデータ処理された画像情報、コンピュータ上で作成されたデザイン案に関するデジタルデータなどである。デザイン情報は、回収品情報と関連付けされる。また、あるデザイン案のデザイン情報は、監修者端末１０６からの監修を受けて、実際に回収品から再生作品を製作するデザインとして認められたとき、実行デザインとして認める実行デザイン情報が付加される。
【００２９】
再生作品情報データベースは、デザイナー端末１０４から入力された再生作品に関する再生作品情報が格納される。再生作品情報データベースは、例えば、複数の再生作品を一意に特定する識別番号、再生作品の画像情報や、再生作品の商品名、サイズなどの少雨最上方である。再生作品は、実行デザインに基づいて回収品から製作されたものであり、再生作品情報は、回収品情報、実行デザイン情報が付加されたデザイン情報と関連付けされる。
【００３０】
課金・支払情報は、回収品再生サービスを利用するデザイナーに対する課金、デザイナー、監修者への報酬の支払に関する情報が格納される。課金・支払情報は、ユーザ情報と関連付けされる。
【００３１】
ユーザ認証・管理部１３０は、ユーザが回収品再生サービスを利用可能な者であるか否かを本人確認する。本人確認は、例えば、デザイナー端末１０４、回収業者端末１０５又は監修者端末１０６から送信されるユーザＩＤとパスワードとがユーザ情報データベースに格納されたユーザＩＤとパスワードに一致するか否かによって判断される。また、ユーザ認証・管理部１３０は、例えば、デザイナー端末１０４、回収業者端末１０５又は監修者端末１０６からの要求に応じてユーザ情報データベースに格納されたユーザ情報を新規に格納、既存のユーザ情報を削除又は変更する。
【００３２】
回収品情報送受信部１３２は、回収業者端末１０５で入力された回収品情報を回収業者端末１０５から受信する。また、回収品情報送受信部１３２は、受信した回収品情報を記憶部１２０に蓄積し、デザイナー端末１０４からの要求に応じて回収品情報をデザイナー端末１０４に送信する。更に、回収品情報送受信部１３２は、デザイナーからの製作要求を受けて回収業者が回収品情報を更新した場合、更新された回収品情報を回収業者端末１０５から受信する。
【００３３】
製作要求受付部１３３は、製作要求受信部の一例であり、回収品情報に基づいて回収品を再生作品として製作するという製作要求をデザイナー端末１０４から受信する。製作要求を受けると、更新要求送信部は、回収業者端末１０５に更に詳しい回収品情報を入力するように要求する。
【００３４】
デザイン情報送受信部１３４は、デザイナー端末１０４で入力されたデザイン案をデザイナー端末１０４から受信する。また、デザイン情報送受信部１３４は、受信したデザイン情報を記憶部１２０に蓄積し、監修者端末１０６からの要求に応じてデザイン情報を監修者端末１０６に送信する。
【００３５】
再生作品情報送受信部１３６は、デザイナー端末１０４で入力された再生作品情報をデザイナー端末１０４から受信する。また、再生作品情報送受信部１３６は、再生作品情報を記憶部１２０に蓄積し、例えば管理サーバ１０２を管理する管理者の要求に応じて再生作品情報を外部のオークションシステム１６０に送信する。
【００３６】
課金・支払処理部１３８は、回収品再生サービスを利用するデザイナーに対する課金に関する課金情報やデザイナーへの報酬の支払に関する情報をデザイナー端末１０４に送信する。また、課金・支払処理部１３８は、監修者への報酬の支払に関する情報を監修者端末１０６に送信する。
【００３７】
回収品情報処理部１４０は、回収品業者が回収した回収品を出品対象として出品し、第三者の入札を受け付ける回収品オークションシステム２００であり、回収品オークションシステム２００の商品を本実施形態の回収品再生システム１００における回収品と同期させる商品同期処理も行う。例えば、回収業者が回収業者端末１０５を介して入力した回収品情報は、一旦、回収品オークションシステム２００の商品情報として、回収品情報処理部１４０が受信して、更に回収品情報送受信部１３２が回収品情報を受け付ける。
【００３８】
実行デザイン送受信部１４１は、監修者端末１０６で入力された実行デザイン情報を監修者端末１０６から受信する。また、実行デザイン送受信部１４１は、実行デザイン情報を、該当するデザイン案のデザイン情報に付加して、記憶部１２０に蓄積されたデザイン情報を更新し、例えばデザイナー端末１０４からの要求に応じて実行デザイン情報をデザイナー端末１０４に送信する。
【００３９】
デザイン監修処理部１４２は、実行デザイン送受信部１４１が受信した実行デザイン情報に基づいて、複数のデザイン情報の中から実際に再生作品を製作するデザイン案を選択する。
【００４０】
オークション出品処理部１４４は、デザイナーが製作した再生作品を外部のオークションシステム１６０に出品するため、再生作品情報送受信部１３６が受信した再生作品情報を外部のオークションシステム１６０に送信する。
【００４１】
ネットワーク接続部１５０は、例えば、通信回線、通信回路、通信デバイスなどで構成されている。ネットワーク接続部１５０は、管理サーバ１０２とデザイナー端末１０４、回収業者端末１０５、監修者端末１０６又は入札者端末１０７との間で、コンピュータ・ネットワークを介してデータを送受信することができる。
【００４２】
次に、本実施形態に係るデザイナー端末１０４、回収業者端末１０５、監修者端末１０６及び入札者端末１０７の構成について説明する。デザイナー端末１０４、回収業者端末１０５、監修者端末１０６及び入札者端末１０７は、例えばＣＰＵ、メモリ、入出力Ｉ／Ｆなどを有するコンピュータ装置である。
【００４３】
デザイナー端末１０４は、例えば、回収品再生システム１００においてユーザ登録されたデザイナーによって操作され、デザイン案や再生作品に関する情報、再生作品の製作要求を管理サーバ１０２に送信し、回収品に関する情報を管理サーバ１０２から受信する。
【００４４】
回収業者端末１０５は、例えば、回収品再生システム１００においてユーザ登録された回収業者によって操作され、回収品に関する情報を管理サーバ１０２に送信する。
【００４５】
監修者端末１０６は、例えば、複数のデザイン案から再生作品として実行するためのデザインを選択する監修者によって操作され、管理サーバ１０２からデザインに関するデザイン情報を受信し、デザイン案に対するコメントや、選択した実行デザインに関する実行デザイン情報を管理サーバ１０２に送信する。
【００４６】
入札者端末１０７は、例えば外部のオークションシステム１６０のユーザによって操作され、管理サーバ１０２から外部のオークションシステム１６０に送信された再生作品に関する情報を受信する。
【００４７】
（第１の実施形態の動作）
次に、図３を参照して、本実施形態に係る回収品再生システム１００の動作について説明する。図３は、本実施形態に係る回収品再生システム１００の動作を示すフローチャートである。
【００４８】
まず、デザイナーが回収品再生システム１００に参加を希望する場合（ステップＳ１１）、ユーザ情報に関する所定事項がデザイナー端末１０４で入力され、ユーザ情報が管理サーバ１０２に送信される。デザイナーがユーザの登録要件を満たす場合、回収品再生システム１００におけるデザイナーとして登録される（ステップＳ１２）。この登録によって、デザイナーは回収品に基づいた再生作品のデザイン案を提出したり、作成した再生作品の外部のオークションシステム１６０への出品代行を依頼したりすることができる。
【００４９】
一方、回収業者は、第三者によって廃棄されたり、リサイクル対象品として譲渡されたりした物品を回収する（ステップＳ２１）。回収された物品は、回収業者端末１０５を介して、回収業者によって回収品オークションシステム２００の仮出品対象として登録される（ステップＳ２２）。これにより、回収品は、所定期間、回収品オークションシステム２００上で仮出品対象として掲載される。回収品オークションシステム２００では、所定期間内に希望があった場合、仮出品対象の回収品は本出品対象として入札可能となる。一方、所定期間内に希望がなかった場合は、本出品対象として除外される。その結果、回収業者は、所定期間のみ回収品を保管しておけばよいため、保管スペースを縮小することができる上、回収業者がどの回収品をオークションの出品対象とするかという判断が不要となる。
【００５０】
次に、回収品オークションシステム２００の仮出品対象と、本実施形態の再生品回収システムの回収品は同期しており（ステップＳ２３）、回収品オークションシステム２００の仮出品対象として登録された回収品は、本実施形態に係る回収品オークションシステム２００のミラーサイト２１０に反映される。なお、登録された回収品は回収品情報として記憶部１２０に記録される。ミラーサイト２１０は、本実施形態においてデザイナーが再生作品をデザイン、製作することを希望する回収品（素材）を選択するために使用される。
【００５１】
本実施形態のデザイナー端末１０４の表示部にミラーサイト２１０が表示され、デザイナーは、ミラーサイト２１０を介して、上記の回収品オークションシステム２００において仮出品対象として登録された回収品を再生作品としてデザイン、製作したいというリクエスト（製作要求）をする（ステップＳ３１）。管理サーバ１０２は、リクエストされた回収品に対しては、回収業者端末１０５に更に詳しい回収品情報を入力するように要求（更新要求）を行なう。そして、管理サーバ１０２が回収品の詳細情報を回収業者端末１０５から受信した場合、管理サーバ１０２は、回収品情報データベースを更新する（ステップＳ３３）。これにより、デザイナーは、より詳しい回収品に関する情報を取得することができ、再生作品としてデザイン、製作するか否かの判断をより確実に行うことができる。
【００５２】
そして、デザイナー端末１０４において、デザイナーが製作要求することにより、ミラーサイト２１０に掲載された回収品を再生作品の素材として選定することが確定される（ステップＳ３４）。この段階では、１の回収品に対して複数のデザイナーによる製作要求を受け付けることが可能であってもよい。あるいは、１の回収品に対して１人のデザイナーが製作要求をすることによって、以降は他のデザイナーの製作要求の受け付けを拒否するとしてもよい。そして、デザイナーは、選定した回収品に基づいたデザイン案を作成する（ステップＳ３５）。その後、デザイン案が作成されたとき、デザイナー端末１０４にデザイン案に関するデザイン情報が入力され、管理サーバ１０２にデザイン情報が送信される。そして、デザイン情報は、記憶部１２０に記録される（ステップＳ３６）。
【００５３】
一方、監修者端末１０６は、１の回収品に対して提案された１又は複数のデザイン案の中から、実際に再生作品を製作してもよいデザインを実行デザインとして選択する（ステップＳ４１）。このデザイン監修によって、より価値の高い再生作品が製作される可能性が高まる。そして、デザイン監修以外の諸事情が勘案されて、実行デザインが正式に決定される（ステップＳ３７）。
【００５４】
実行デザインに選出されたデザイン案を提案したデザイナーは、回収品を手元に取得し、実際に再生作品を製作する（ステップＳ３８）。なお、再生作品の製作は、デザイナー自身が行ってもよいし、家具職人などの製作業者が行ってもよい。再生作品が完成した場合、再生作品の写真撮影、作品のＰＲが作成され（ステップＳ３９）、デザイナー端末１０４には、再生作品の写真や再生作品に関するＰＲが入力される。
【００５５】
デザイナー端末１０４に入力された写真やＰＲに関する情報は、管理サーバ１０２に送信され、管理サーバ１０２の記憶部１２０に再生作品情報として記録される（ステップＳ５１）。その後、管理サーバ１０２は、再生作品情報を外部のオークションシステム１６０に送信して、デザイナー等に代行して再生作品を出品対象として出品する（ステップＳ５２）。これにより、再生作品として付加価値が高まった回収品が出品されるため、回収品のリサイクルが促進される。
【００５６】
一方、再生作品を製作したデザイナー等は、再生作品を保管している（ステップＳ６１）。そして、外部のオークションシステム１６０のユーザによる入札、落札を経て購入者が決定され（ステップＳ６２）、落札者による代金支払が行なわれる（ステップＳ６３）。また、落札に伴って再生作品を製作したデザイナー等から再生作品を発送する（ステップＳ６４）。管理サーバ１０２では、落札者からの入金に基づいて手数料計算が行なわれる（ステップＳ６５）。手数料計算によって、外部オークションシステム運営業者への支払い、デザイナーへの報酬支払い（ステップＳ６６）、受け取り（ステップＳ６７）、監修者への報酬支払い（ステップＳ６８）などが行なわれる。これにより、外部のオークションシステム１６０への再生作品の出品は、本実施形態の回収品再生システム１００を介して行なわれるため、デザイナー等は出品の手間はなく、落札後の再生作品の発送のみで再生作品製作に対する報酬を受け取ることができる。
【００５７】
（第１の実施形態のＧＵＩ画面）
次に、図４〜図１０を参照して、本実施形態に係る回収品再生システム１００におけるＧＵＩ画面表示について説明する。
【００５８】
まず、図４を参照して、回収品オークションシステム２００でオークションユーザの端末に表示される画面２０１について説明する。図４は、回収品オークションシステム２００でユーザの端末に表示される画面を示す説明図である。この画面２０１を介してデザイナーは再生作品を製作する対象とする回収品を選択できる。
【００５９】
図４に示す画面２０１では、回収品オークションシステム２００で出品される商品のカテゴリー２０２や、仮出品された複数の回収品の画像情報２０４、商品名等が表示される。画像情報２０４は、例えば、回収業者によって撮影された写真などである。そして、画面２０１上でカテゴリー２０２が選択されることで、そのカテゴリーに属する回収品のみが表示される。また、画像情報２０４や商品名が選択されることで、その回収品に関する詳細な情報が表示される。
【００６０】
次に、図５を参照して、回収品再生システム１００のデザイン案の提出状況やデザイン監修の進捗状況を表示する画面３００について説明する。図５は、回収品再生システム１００のデザイン案の提出状況やデザイン監修の進捗状況を表示する画面３００を示す説明図である。この画面３００を介して、本実施形態の回収品再生システム１００を利用するユーザは、回収品に対して提案されたデザイン案の件数やデザイン監修の進捗状況を確認することができる。
【００６１】
図５に示す画面３００では、回収品名３０２の一覧が表示され、回収品に対応して提出されたデザイン案の件数３０４、実際に再生作品として製作する実行デザインの選出（監修）が行なわれたかの有無３０６が表示される。そして、画面３００上で回収品名３０２が選択されることで、回収品に関する詳細な情報が表示されてもよい。また、件数３０４が選択されることで、回収品に対して提出されたデザイン案の一覧が表示される（図６参照）。更に、監修の有無３０６が選択されることで、回収品に対するデザイン監修を行う監修者などの詳細情報が表示される。
【００６２】
次に、図６を参照して、回収品再生システム１００において回収品に対して提案されたデザイン案の一覧を表示する画面４００について説明する。図６は、回収品再生システム１００におけるデザイン一覧が表示された画面４００を示す説明図である。この画面を介して、本実施形態の回収品再生システム１００を利用するユーザは、回収品に対して提案されたデザイン案を閲覧することができ、更にデザイナーであれば、デザイン案の登録、修正などを行うことができる。
【００６３】
図６に示す画面４００では、１の回収品に対する１又は複数のデザイン案が一覧表示され、回収品の画像情報４０２や回収品名、デザイン案の縮小画像情報４０４、各種選択ボタンが表示される。回収品の画像情報４０２は、例えば、仮出品された回収品の画像情報２０４に対応している。デザイン案の縮小画像情報４０４は、デザイナーによって管理サーバ１０２に送信されたデザイン案の画像データを縮小表示したものである。そして、回収品の画像情報４０２や回収品名が選択されることで、回収品に関する詳細な情報が表示される。また、デザイン案の縮小画像情報４０４のうち１つが選択されることで、選択されたデザイン案の詳細な情報が表示される。デザイナー登録されているユーザによって「デザインを新たに追加する」というボタンが選択された場合は、回収品に対する新たなデザイン案を追加することができる画面が表示される。
【００６４】
次に、図７を参照して、回収品再生システム１００において入力された回収品に関する詳細情報を表示する画面５００について説明する。図７は、回収品再生システム１００において入力された回収品に関する詳細情報が表示された画面５００を示す説明図である。この画面を介して、本実施形態の回収品再生システム１００を利用するユーザは、回収業者によって入力された回収品の詳細情報を閲覧することができる。
【００６５】
図７に示す画面５００では、１の回収品について写真、サイズなどが表示される。例えば、画面５００上には、代表写真による画像情報５０２、動画５０４、写真の縮小画像情報５０６、素材情報５０８などが表示される。画像情報５０２は、例えば、仮出品された回収品の画像情報２０４を用いて表示される。また、画像情報５０２、動画５０４や縮小画像情報５０６は、例えば、デザイナーが製作要求をしたときに、回収業者が回収業者端末１０５を介して入力するデータである。
【００６６】
画像情報５０２、縮小画像情報５０６が選択されることで、回収品の拡大した画像が表示され、回収品の詳細について確認することができる。動画５０４の再生ボタンが選択されることで、動画５０４は再生を開始し、回収品を様々な方向から確認することができる。
【００６７】
動画５０４は、例えば、写真等の画像データに基づいて、回収品を部材ごとに分解して各部材を３Ｄ化する技術を用いて作成されるとしてもよい。そして、画面上で３Ｄ表示された各部材を組み合わせたり、部材ごとに分解したりでき、更に部材や回収品を回転させたりできる。これらの技術はコンピュータプログラムを用いて実現される。この動画５０４によれば、デザイナーはデザインをより詳細に検討することができる。
【００６８】
また、動画５０４は、例えば、回収品保管場所で撮影された映像であってもよい。このとき、回収品が回転可能な撮影台に設置されたのち、撮影台がボタン操作などによって回転を開始しつつ、撮像装置が回収品を例えば６面方向で撮影する技術を用いてもよい。更に、撮影によって寸法が計測される技術を併せて用いてもよい。この回収品の回転、撮影、計測という一連の動作がコンピュータプログラムなどによって実現されることで、効率良く回収品の情報をデザイナー等に開示することができる。
【００６９】
素材情報５０８は、例えば、回収品の寸法、素材感、無垢かフラッシュか、キズ・汚れがあるか（落ちそうな汚れか）などの情報である。デザイナーはこれらの情報を元に、回収品を再生作品として製作する素材とするかどうか検討したり、デザインを詳細に検討したりすることができる。
【００７０】
次に、図８を参照して、回収品再生システム１００において入力されたデザイン案に関する詳細情報を表示する画面６００について説明する。図８は、回収品再生システム１００において入力されたデザイン案に関する詳細情報が表示された画面６００を示す説明図である。この画面６００を介して、本実施形態の回収品再生システム１００を利用するユーザは、デザイナーや監修者によって入力されたデザイン案の個々の詳細情報を閲覧することができる。また、この画面６００を介して、権限あるデザイナーがアクセスした場合は、自己のデザイン案の画像情報や詳細情報を入力したり、データ更新したりすることができてもよい。
【００７１】
図８に示す画面６００では、１のデザイン案について写真、デザインコンセプトなどの説明文が表示される。例えば、画面６００上には、デザイン案のタイトル、画像情報６０２、回収品の画像情報６０４、デザイン案の詳細情報６０６、監修者のコメント及びその閲覧・入力ボタン６０８などが表示される。デザイン案の画像情報６０２、詳細情報６０６は、例えば、デザイナーがデザイナー端末１０４を介して入力するデータである。デザイン案の画像情報６０２は、例えばデザイナーが作成した企画書（図や説明文を含む。）を画像データとして取り込んだものである。回収品の画像情報６０４は、例えば、仮出品された回収品の画像情報２０４を用いて表示される。デザイン案の画像情報６０２、回収品の画像情報６０４が選択されることで、デザイン案の拡大された画像が表示される。デザイン案の詳細情報６０６は、例えば、デザイン案のコンセプトや、製法の企画などの情報である。
【００７２】
監修者のコメントは、監修者が監修者端末１０６を介して入力するデータである。監修者のコメントは、権限のある監修者がアクセスすることで、デザイン案の講評などを入力することができ、一般的に閲覧可能となっている。
【００７３】
次に、図９を参照して、回収品再生システム１００からの出品先の外部のオークションシステム１６０でオークションユーザの端末に表示される画面７００について説明する。図９は、回収品再生システム１００からの出品先の外部のオークションシステム１６０でユーザの端末に表示される画面を示す説明図である。この画面７００を介してユーザは入札を希望する再生作品を閲覧することができる。
【００７４】
図９に示す画面７００では、外部のオークションシステム１６０で出品される再生作品のカテゴリー７０２や、出品された複数の再生作品の画像情報７０４、商品名等が表示される。画像情報７０４は、例えば、デザイナーや再生作品製作者によって撮影された写真などである。そして、画面７００上でカテゴリー７０２が選択されることで、そのカテゴリーに属する再生作品のみが表示される。また、画像情報７０４や商品名が選択されることで、その再生作品に関する詳細な情報が表示される。
【００７５】
次に、図１０を参照して、回収品再生システム１００において入力された再生作品に関する詳細情報を表示する画面８００について説明する。図１０は、回収品再生システム１００において入力された再生作品に関する詳細情報が表示された画面８００を示す説明図である。この画面８００を介して、本実施形態の回収品再生システム１００を利用するユーザや、外部のオークションシステム１６０を利用するユーザは、デザイン案に基づいて製作された再生作品の詳細情報を閲覧することができる。また、この画面８００を介して、権限あるデザイナーや製作者がアクセスした場合は、再生作品の詳細情報や画像情報について新たに入力したり、データを更新したりすることができる。
【００７６】
図１０に示す画面８００では、１の再生作品について写真や製作工程の説明などの説明文が表示される。例えば、画面８００上には、再生作品のタイトル、再生作品の画像情報８０２、製作前の回収品の画像情報８０４、再生作品の製作中写真８０６、デザイン案の画像情報８０８、再生作品の詳細情報８１０などが表示される。再生作品の画像情報８０２、製作中写真８０６、詳細情報８１０は、例えば、デザイナー又は製作者がデザイナー端末１０４を介して入力するデータである。回収品の画像情報８０４は、例えば、仮出品された回収品の画像情報２０４を用いて表示される。デザイン案の画像情報８０８は、例えば、デザイン案の詳細情報における画像情報６０２を用いて表示される。再生作品の画像情報８０２、製作前の回収品の画像情報８０４、再生作品の製作中写真８０６、デザイン案の画像情報８０８が選択されることで、それぞれの拡大された画像が表示される。再生作品の詳細情報８１０は、例えば、再生作品の製作工程の説明や作品コンセプト、用途などの情報である。
【００７７】
本実施形態の回収品再生システム１００によれば、回収業者にとっては、回収品をそのままリサイクル品として第三者に譲渡するだけでなく、デザイナーによるデザインによって付加価値がついた再生作品を譲渡する機会が増え、また、回収品のリサイクル率を向上させることができる。また、デザイナーにとっては、デザイナーや作品製作者が回収品に関する情報を容易に入手できて、作品の創作の機会を得ることができる。また、デザイナーは、迅速にデザイン案を発表できて、監修者による評価を受けることができる。また、再生作品として製作する機会を獲得できた場合には、デザイナーにとっては自己のデザインが実現できる上に、外部のオークションシステム１６０を介して第三者に迅速かつ容易に譲渡することができる。そして、デザイナーとは別に製作者が再生作品を製作する場合には、製作者にとっては、回収品を活用した再生作品の製作という達成感のある仕事の機会を得ることができる。更に、外部のオークションシステム１６０を利用するユーザにとっては、環境保護を配慮した独創性のある作品を容易に取得することができる。
【００７８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７９】
【図１】本発明の第１の実施形態に係る回収品再生システムを示すブロック図である。
【図２】同実施形態に係る管理サーバを示すブロック図である。
【図３】同実施形態に係る回収品再生システムの動作を示すフローチャートである。
【図４】回収品オークションシステムでユーザの端末に表示される画面を示す説明図である。
【図５】回収品再生システムのデザイン案の提出状況やデザイン監修の進捗状況を表示する画面を示す説明図である。
【図６】回収品再生システムにおけるデザイン一覧が表示された画面を示す説明図である。
【図７】回収品再生システムにおいて入力された回収品に関する詳細情報が表示された画面を示す説明図である。
【図８】回収品再生システムにおいて入力されたデザイン案に関する詳細情報が表示された画面を示す説明図である。
【図９】回収品再生システムからの出品先の外部のオークションシステムでユーザの端末に表示される画面を示す説明図である。
【図１０】回収品再生システムにおいて入力された再生作品に関する詳細情報が表示された画面を示す説明図である。
【符号の説明】
【００８０】
１０      ネットワーク
１００      回収品再生システム
１０２      管理サーバ
１０４      デザイナー端末
１０５      回収業者端末
１０６      監修者端末
１０７      入札者端末
１１２      ＣＰＵ
１１４      メモリ
１１６      入出力Ｉ／Ｆ
１１８      表示部
１２０      記憶部
１３０      ユーザ認証・管理部
１３２      回収品情報送受信部
１３３      製作要求受付部
１３４      デザイン情報送受信部
１３６      再生作品情報送受信部
１３８      課金・支払処理部
１４０      回収品情報処理部
１４１      実行デザイン送受信部
１４２      デザイン監修処理部
１４４      オークション出品処理部
１５０      ネットワーク接続部
１６０      外部のオークションシステム
２００      回収品オークションシステム
２１０      ミラーサイト
【図１】
2009223814.tif 000003
【図２】
2009223814.tif 000004
【図３】
2009223814.tif 000005
【図４】
2009223814.tif 000006
【図５】
2009223814.tif 000007
【図６】
2009223814.tif 000008
【図７】
2009223814.tif 000009
【図８】
2009223814.tif 000010
【図９】
2009223814.tif 000011
【図１０】
2009223814.tif 000012